(57)【要約】【課題】所望の衣類等の製品に離形紙から剥がし取って貼着する合成樹脂片であって、離形紙に形成した接着層と一体に形成した磁石粉を均一に混合した短繊維植設層から成る合成樹脂片。【解決手段】合成樹脂、紙、布の片面に剥離加工を施して成る感熱性合成樹脂、或は、感圧性合成樹脂から成る図柄模様層である接着層を所望の数だけ剥離可能に形成し、その接着層の面に、表面に短繊維を強固に植設し、接着層と同形で、且つ所望の厚さで磁石粉を均一に混合した短繊維植設層を該接着層と一体に形成したことを特徴とする衣類等の製品に貼着する合成樹脂片。【選択図】  図２
2005307377.tif 000002
【特許請求の範囲】
【請求項１】
合成樹脂、紙、布の片面に剥離加工を施して成る剥離紙の剥離面に、感熱性合成樹脂、或は、感圧性合成樹脂から成る図柄模様層である接着層を所望の数だけ剥離可能に形成し、その接着層の面に、表面に短繊維を強固に植設し、接着層と同形で、且つ所望の厚さで磁石粉を均一に混合した短繊維植設層を該接着層と一体に形成したことを特徴とする衣類等の製品に貼着する合成樹脂片。
【発明の詳細な説明】
【技術分野】
【０００１】
衣類等の製品に貼着する磁石粉を均一に混合した合成樹脂片を製造する分野に関する発明である。
【背景技術】
【０００２】
これまで、例えば、マット、或は靴下、下着等に磁力により血行をよくする働きをする磁石片を散在させた状態で固定した衣類等の製品がある。ところで、これらの衣類等の製品に固着された磁石片は、前記衣類等の製品にむき出しのまま散在状態で固定されていた。
ところが、これらの衣類等の製品に固着された磁石片は、汗や水によって濡れたときは錆が発生する。この錆が発生した状態で、前記した衣類等の製品を着用したり、洗濯などをしたときは、汗や洗濯に使う水で、前記した衣類等の製品を前記した錆によって汚してしまう不都合がある。
【０００３】
そこで、前記した不都合を解消するために考えられることは、前記した衣類等の製品に固定する磁石片を、合成樹脂の薄膜で包被するとかの手段を講ずると言う考え方があるが、この手段を講ずるとするとその手段を講ずるための設備を用意しなければならず、この設備を用意し前記手段を講ずるとすることは必然的に磁石片のコスト高を招来することになり、この点から言っても、安易に前記手段を採用することは出来ない。従って、これまで上記の不都合を解消する有効手段が講じられていないのが実情である。
【０００４】
本発明者は、これまで、上記した不都合を解消しようとして衣類等の製品に固着する磁石片について、磁石片を合成樹脂の被膜で包被した製品に代わる製品を作ろうとして、磁石片を細破砕して磁石粉とし、この磁石粉をペースト状の熱可塑性合成樹脂に均一に混合し、これを衣類等の製品に所望の形状に刷り付けてその状態で乾燥し、これを硬化して磁石粉を混合したチップ状の熱可塑性の合成樹脂片を作り、これを衣類等の製品に固着しようとした。しかし、前記した試みは、磁石粉を前記したペースト状の熱可塑性合成樹脂に混合する作業中に磁石粉が吸引し合って塊となり、磁石粉を均一に混合したペースト状の熱可塑性合成樹脂を作ることはできないこと、従って、前記合成樹脂を以て磁石粉を均一に混合したチップ状の熱可塑性合成樹脂片を作ることはできないことを知った。そこで、本発明者は、未だ磁力が付与されていない磁性粉をペースト状の熱可塑性合成樹脂に均一に混合し、前記合成樹脂を、シルクスクリーン印刷手段で衣類等の製品の所望の個所に、所望の厚みをもった所望の形状の層とした刷り付けを行い、これを加熱乾燥して衣類等の製品の所望の個所に所望の厚み、所望の形状の硬化した塊として固着、これを着磁機にかけて前記磁性粉を着磁して、磁気発生機能をもつ熱可塑性の合成樹脂片を固定した衣類等の製品を作ろうとした。
この考え方を以て開発した発明について、特願２００２−２９３３７２号の出願をした。
【０００５】
その発明の要旨は、予め用意された所望の数量の衣類等の製品に対し、その製品の所望の個所に、予め用意されたシルクスクリーン版を以て、未だ磁力を付与されていない磁性粉を均一に混合したペースト状の熱可塑性合成樹脂を、該シルクスクリーン版の図柄模様どうりに所望の厚みの層として刷り着け、これを乾燥して前記した層を衣類等の製品に固着した状態で硬化片とし、この状態で硬化片に混合された磁性粉を、着磁装置を以て着磁して磁石粉とし、これらの手段を経て前記衣類等の製品にシルクスクリーン版の図柄模様どうりに刷り付けられた磁石粉を混合した所望の厚さ、所望の形状の硬化された熱可塑性の合成樹脂片を指圧効果、磁石の磁束による磁気刺激効果を達成できる熱可塑性の合成樹脂片として取り付けた衣類等の製品を作ると言う発明である。
【０００６】
従って、前記した発明では、所望の数量の衣類等の製品に、指圧効果、磁石の磁束による磁気刺激効果を達成できる熱可塑性の合成樹脂片を取り付けるのには、予め用意されたシルクスクリーン版の図柄模様以外の所望の図柄模様の磁石粉を混合した熱可塑性の合成樹脂片を取り付けた衣類等の製品を作ることはできないと言う不都合がある。
【特許文献１】特願２００２−２９３３７２号公報
【発明の開示】
【発明が解決しようとする課題】
【０００７】
本発明は、衣類等の製品に前記した指圧効果磁石の磁束による磁気刺激効果を達成できる熱可塑性の合成樹脂片を固定するのに、いちいちシルクスクリーン版を用意しなければならないと言う前記した不都合を解消するため、いちいちシルクスクリーン版を用意しなくても、磁石粉を均一に混合し、表面に短繊維を植設し、裏面に接着層を裏打ち状態で形成して成る所望の形状、所望の厚さに形成した種々の合成樹脂片を予め用意できるようにしておき、必要なときに予め用意された前記合成樹脂片の中から、気に入った厚さ、形状の前記合成樹脂片を選択して、その合成樹脂片を以て、所望の衣類等の製品の所望の個所に貼り付けると言う手段によって指圧効果、磁石の磁束による磁気刺激効果を達成できる合成樹脂片として固着できるようにすることができるようにするものである。
【課題を解決するための手段】
【０００８】
合成樹脂、紙、布の片面に剥離加工を施して成る剥離紙の剥離面に、感熱性合成樹脂、或は、感圧性合成樹脂から成る図柄模様層である接着層を所望の数だけ剥離可能に形成し、その接着層の面に、表面に短繊維を強固に植設し、接着層と同形で、且つ所望の厚さで磁石粉を均一に混合した短繊維植設層を該接着層と一体に形成した衣類等の製品に貼着する合成樹脂片。
【発明の効果】
【０００９】
本発明は、前記した構成としたものであるから、磁石粉を均一に混合し、表面に短繊維を植設し、裏面に接着層を形成して成る所望の形状、所望の厚さに形成した種々の合成樹脂片を、予め台紙である離形紙の面に前記接着層を介在させて剥離可能の状態で大量に作っておくことができる。そして、必要に応じて、台紙である離形紙から前記合成樹脂片を接着層とともに剥がし取って所望の衣類等の製品の所望の個所に接着剤を介在させて前記合成樹脂片を所望の時に、所望の場所で、所望の数だけ貼着することができる。
前記接着層が感圧性接着剤から出来ているときは、前記合成樹脂片の接着層を衣類等の製品の所望の個所に押し当て押圧することにより衣類等の製品の生地に前記合成樹脂片を接着することができる。
前記接着層がホットメルト系の熱可塑性接着剤から出来ているときは、その接着層を衣類等の製品の所望個所に重ね、アイロン等の加熱押圧器具で加熱押圧し、接着層を衣類等の製品の生地面で加熱溶融させて前記合成樹脂片を接着することになる。
【００１０】
従って、衣類等の製品に、指圧効果、或は、磁力による刺激効果を発揮する磁石を均一に混合した合成樹脂片を固着させる作業を行うのに当たっては、いちいちシルクスクリーン印刷手段による必要はなく、予め用意していた前記合成樹脂片の中から所望の前記合成樹脂片を選択して簡単な操作で前記した作業を行うことができる。
【００１１】
それだけでなく、本発明にかかる台紙である離形紙に作られる前記した合成樹脂片は、表面に短繊維が植設されているので、これを衣類等の製品に取り付けたときは、前記した合成樹脂片は直接に皮膚に触れずに皮膚に触れるのは前記した合成樹脂片の表面に植設した短繊維である。
従って、柔らかい感触を以て人体のツボに指圧効果、磁力による刺激効果を奏することができる。
更に、本発明にかかる台紙である離形紙に作られる前記した合成樹脂片は、前記の構成となっていることから、これを衣類等の製品に取り付けたときは合成樹脂片の表面に植設した短繊維が装飾効果を奏することにもなる。
【実施例】
【００１２】
紙、布、合成樹脂等から成るシート状物の片面に剥離加工を施してこれを剥離面とする離形紙（剥離紙とも呼ぶことがある）が印刷業界で使われている。
本発明では、前記した加工を施したシート状物を離形紙と称する。
【００１３】
台紙である離形紙１の剥離加工面に、ペースト状のホットメルト系の熱可塑性合成樹脂、或は、ペースト状の感圧性接着性合成樹脂を以てシルクスクリーン版により、所望の厚さの図柄模様層を所望の数だけ形成する。その後、前記剥離しに形成された図柄模様層を前記剥離紙とともに加熱乾燥を施して感熱型接着剤層、或は、感圧型接着剤層としての接着剤層２として形成する。
この接着剤層２は、前記剥離紙の剥離加工面に１個だけでなく複数個形成するのが普通である。
この感熱型接着剤層、感圧型接着剤層としての接着剤層２を形成するために用いる前記したペースト状のホットメルト系の熱可塑性合成樹脂、或は、ペースト状の感圧性接着性合成樹脂のコーティング手段には、種々の手段がある。本発明ではその手段は問わない。
しかし、前記感熱型接着剤層、或は、感圧型接着剤層としての接着剤層２を図柄模様状に形成するには、一般にシルクスクリーン法による印刷手段で形成される。
前記接着剤層２は剥離紙１の剥離加工面に形成されるものであるから剥離紙の剥離加工面から剥離可能に形成される。
【００１４】
次に、前記した乾燥を施した感熱型接着剤層、或は、感圧型接着剤層としての接着剤層２の面に、前記接着剤層２の面の形状どうり、即ち、接着剤層２と同じ下図だけ、接着剤層２と同じ図柄模様状に、磁性粉（図示しない）を均一に混合したペースト状の合成樹脂をコーティングする。  
このペースト状の合成樹脂は、前記した接着剤層２を形成する合成樹脂と親和性のある合成樹脂であることは勿論である。
そのペースト状の合成樹脂は、未だ磁気を着磁されていないが着磁操作を施すことにより着磁機能をもつ磁性粉を均一に混合したものであり、しかも自己架橋型、或は、架橋剤を混合したペースト状の合成樹脂である。
前記したペースト状の合成樹脂を所望の厚さにコーティングして前記した磁性粉を均一に混合した合成樹脂の層である短繊維を植設する層を形成する。
【００１５】
前記した磁性粉を混合した自己架橋型、或は、架橋剤を混合して成るペースト状の合成樹脂を所望の図柄模様状にコーティングする手段は、前記した感熱型、或は感圧型の接着剤層２を形成する手段と同じである。
【００１６】
前記した磁性粉を混合した自己架橋型、或は、架橋剤を混合して成るペースト状の合成樹脂を前記手段で接着剤層２の面にコーティングした後、その合成樹脂の層であるが乾かない中に、静電植毛法によって、前記した磁性粉を均一に混合した自己架橋型、或は、架橋剤を混入して成るペースト状の合成樹脂の層の面に短繊維４を植設する。
この静電植毛操作によって、前記した合成樹脂層である短繊維を植設する層の面に植設された短繊維４は、前記した磁性粉を混合したペースト状の自己架橋型、或は、架橋剤を混入して成る合成樹脂の層の図柄模様状どうりに植設される。
【００１７】
この植毛操作後、加熱乾燥を施す。
この加熱乾燥により、短繊維４を植設した前記ペースト状の自己架橋型、或は、架橋剤を混入して成る合成樹脂による磁性粉を混合した層である短繊維を植設する層は、前記感熱型、或は感圧型の接着剤層２の面で架橋反応を促進して硬化する。
その結果、前記したペースト状の自己架橋型、或は、架橋剤を混入して成る合成樹脂による磁性粉を混合した層である短繊維を植設する層は、図柄模様状に短繊維４をしっかりと植設した短繊維植設層３となる。前記短繊維植設層３と接着剤層２とは親和性のある合成樹脂で作られているので、前記短繊維植設層３が接着剤層２と一体となった磁性粉を混合し、且つ、短繊維をしっかりと植設した合成樹脂片となる。その断面図を図１に示す。
【００１８】
即ち、前記工程を経ることによって離形紙１の剥離加工面に感熱型、或は感圧型の接着層２を介して磁性粉を混合し、且つ、表面に短繊維をしっかりと植設した短繊維植設層３である合成樹脂片を形成した態様の植毛台紙の仕掛品ができる。
【００１９】
この台紙の仕掛品を着磁装置（図示しない）にかけることにより、前記短繊維植設層３に混合された磁性粉は磁石粉となる。
【００２０】
即ち、前記工程を経ることによって離形紙１の剥離加工面に接着剤層２を介して磁石粉を混合し、且つ、表面に短繊維をしっかりと植設した磁気発生機能をもつ磁石粉を混入した短繊維植設層３である合成樹脂片５を配した態様の台紙ができる。これを図２に示す。
【００２１】
台紙である離形紙１に感熱型、或は感圧型の接着剤層２を介在して作られた短繊維を表面に植設した図柄模様状の短繊維植設層３である合成樹脂片５は、前記接着剤層２とともに離形紙を剥がして、指圧効果、磁気による刺激効果を発揮する表面に短繊維を植設した合成樹脂片５として用いる。
【００２２】
表面に短繊維を植設して成る磁石を均一に混合した短繊維植設層３である合成樹脂片５の取付対象物と取付位置を説明する。
対象物は、着用しようとする衣類等（図示しない）の生地の面である。
前記した表面に短繊維を植設した磁気発生機能をもつ磁石を混合した合成樹脂片５の取付位置は、着用した衣類等の製品の生地の面の人体のツボに対応する個所である。
【００２３】
短繊維を植設して成る磁石を均一に混合した短繊維植設層３である合成樹脂片５の取付手段は、該合成樹脂片の接着剤層２が感熱型接着層として形成されているときは、加熱押圧手段により、また、感圧型接着層として形成されているときは、押圧により衣類等の生地面に接着する。
【産業上の利用可能性】
【００２４】
本発明は、前記した構成から成るものであるから、本件発明を構成する合成樹脂片の図柄模様を特殊な図柄模様とするときは磁気による刺激効果を発揮する合成樹脂片としてだけでなく、該合成樹脂片を意匠的機能を有する合成樹脂片として衣類等の製品に取り付けることができる。
【図面の簡単な説明】
【００２５】
【図１】離形紙の剥離加工面に図柄模様状の接着層を形成した状態の断面図
【図２】離形紙の剥離加工面に本発明の合成樹脂片を形成した状態の一部切欠斜視図、並に、離形紙の剥離加工面から剥がし取った合成樹脂片の斜視図
【符号の説明】
【００２６】
１．離形紙
２．接着剤層
３．短繊維植設層
４．短繊維
５．合成樹脂片
【図１】
2005307377.tif 000003
【図２】
2005307377.tif 000004